(57)【要約】コンピュータ（１２）、該コンピュータ（１２）に接続できるスカニング装置（１４）、該コンピュータに接続できる少なくとも一つのプリンタ（１８）、を含む獣医在庫管理システムが開示されている。該コンピュータにはコンピュータプログラムが取り込まれ作動している。
2005517605.tif 000002
【特許請求の範囲】
【請求項１】
コンピュータ、
前記コンピュータに接続できるスカニング装置、
前記コンピュータに接続できる少なくとも一つのプリンタ、及び
前記コンピュータに製品不足を確認させ製品注文書を作成させることの出来るコンピュータプログラム、
を含む獣医在庫管理システム。
【請求項２】
前記コンピュータプログラムが、非標準項目を在庫ファイルに加えることを可能にする様に、前記コンピュータを設定している、請求項１に従うシステム。
【請求項３】
該非標準項目が利用者の特定獣医学診療に対して特定的である、請求項２に従うシステム。
【請求項４】
前記スカニング装置が手持ち式のバーコード読取装置である、請求項１に従うシステム。
【請求項５】
前記読取装置が予め定めた製品高を設定できる、請求項４に従うシステム。
【請求項６】
前記少なくとも一つのプリンタがバーコードプリンタ及び標準頁プリンタを含む、請求項１に従うシステム。
【請求項７】
バーコードプリンタに対して、前記システムがラベル印刷ソフトウェアの適用を設定されている、請求項６に従うシステム。
【請求項８】
標準頁プリンタに対して、前記システムが書面印刷ソフトウェアの適用を設定されている、請求項６に従うシステム。
【請求項９】
前記コンピュータが電子メール、ファクシミリ、クーリエ便、又は郵便サービス配達用の注文書を作成する様に設定されている、請求項１に従うシステム。
【請求項１０】
前記コンピュータプログラムが、調査在庫画面、注文用紙画面、在庫経歴画面、注文経歴画面、及び管理画面の少なくとも一つを表示する様に、前記コンピュータを設定している、請求項１に従うシステム。
【請求項１１】
前記調査在庫画面が利用者に現在の全在庫項目のリストを提供しており、該リストは在庫日付、万国製品コード（ＵＰＣ）、製品、大きさ、最小在庫管理単位（ＳＫＵ）、在庫量、最小許可（許容）領域、及び最大許可（許容）領域の少なくとも一つを含む、請求項１０に従うシステム。
【請求項１２】
前記調査在庫画面が利用者に、最小在庫管理単位（ＳＫＵ）の変更、在庫量の変更、前に調べた製品量の変更、在庫項目及び量の更新、及び製品の最小並びに最大量の編集の少なくとも一つに対するユーザ・インターフェースを提供している、請求項１０に従うシステム。
【請求項１３】
前記注文用紙画面が利用者に、追加注文、補充注文、注文の節約、製品注文報告の閲覧、注文の削除、注文書の送付、及び注文の公開の少なくとも一つに対するユーザ・インターフェースを提供している、請求項１０に従うシステム。
【請求項１４】
前記の補充注文に対するユーザ・インターフェースにより、利用者が前記システムに、在庫管理、手持ちの在庫、及び各製品に対して表示された元売業者の少なくとも一つに基づいて注文書を自動的に作成させることの出来る、請求項１３に従うシステム。
【請求項１５】
前記の補充注文に対するユーザ・インターフェースにより、利用者が前記システムに、船を該注文の日までに到着する様に自動的に適合させることの出来る、請求項１３に従うシステム。
【請求項１６】
前記在庫経歴画面が利用者にアーカイブに保管された在庫を閲覧するためのユーザ・インターフェースを提供しており、該保管在庫は在庫日付、万国製品コード（ＵＰＣ）、製品、大きさ、最小在庫管理単位（ＳＫＵ）、在庫量、最小許可量、及び最大許可量の少なくとも一つを含む、請求項１０に従うシステム。
【請求項１７】
前記注文経歴画面が利用者に、非公開発注番号、卸業者名、費用番号、費用説明、日付までに到着する船、注文発送日付、コメント、及び注文合計価格領域の少なくとも一つを含む注文経歴を閲覧するためのユーザ・インターフェースを提供している、請求項１０に従うシステム。
【請求項１８】
前記注文経歴画面が利用者に注文項目のリストを閲覧するためのユーザ・インターフェースを提供しており、該リストは万国製品コード（ＵＰＣ）、製品、大きさ、量、単位価格、及び合計ライン価格の少なくとも一つを含む、請求項１０に従うシステム。
【請求項１９】
前記管理画面が利用者に、製品カタログ画面、費用番号画面、診療所情報画面、卸業者データ画面、在庫管理画面、及び消去経歴項目画面の少なくとも一つを選択するためのユーザ・インターフェースを提供している、請求項１０に従うシステム。
【請求項２０】
前記製品カタログ画面が利用者に、万国製品コード（ＵＰＣ）、製品、製造業者、項目タイプ、重量、区分、元売業者、単位価格、価格の有効日、及び不活性状態日の少なくとも一つを含む新製品記録を追加し、製品記録に変化を保存し、製品記録を削除し、そして新製品記録を保存するためのユーザ・インターフェースを提供している、請求項１９に従うシステム。
【請求項２１】
前記費用番号画面が利用者に、製品の注文に対する費用番号及び費用説明の追加、変更、保存及び削除の少なくとも一つに対するユーザ・インターフェースを提供している、請求項１９に従うシステム。
【請求項２２】
前記診療所情報画面が利用者に診療所名、診療所住所、発送先、及び請求書送付先の少なくとも一つを追加し変更するためのユーザ・インターフェースを提供しており、前記診療所住所、前記発送先、及び前記請求書送付先は連絡先姓、連絡先名、住所、市、州、郵便番号、電話番号、内線電話番号、電子メールアドレス、及びファクシミリ番号の少なくとも一つを含む、請求項１９に従うシステム。
【請求項２３】
前記卸業者データ画面が利用者に、卸業者識別表示（ＩＤ）、卸業者名、連絡先姓、連絡先名、住所、市、州、郵便番号、電話番号、内線電話番号、電子メールアドレス、ファクシミリ番号、及び診療所会計番号の少なくとも一つを含む卸業者記録を閲覧し、追加し、削除し、そして更新するためのユーザ・インターフェースを提供している、請求項１９に従うシステム。
【請求項２４】
前記在庫管理画面が利用者に、万国製品コード（ＵＰＣ）、最小在庫管理単位（ＳＫＵ）、最小許可量、及び最大許可量の少なくとも一つを含む注文管理を閲覧し編集するためのユーザ・インターフェースを提供している、請求項１９に従うシステム。
【請求項２５】
前記消去経歴項目画面が利用者に、注文経歴記録、在庫経歴記録、中止製品、及びその価格記録を、これらの記録が１８ヶ月以上古い場合に、除去するためのユーザ・インターフェースを提供している、請求項１９に従うシステム。
【請求項２６】
前記消去経歴項目画面が利用者に、その価格有効日が１８ヶ月よりも古い製品価格を、１８ヶ月よりも古い製品価格記録が最新の製品価格記録でない限り、除去するためのユーザ・インターフェースを提供している、請求項１９に従うシステム。
【請求項２７】
製品不足を確認し、
非標準項目を確認させ獣医学診療在庫に追加させ、そして
電子メール、ファクシミリ、クーリエ便、又は郵便サービス配達の少なくとも一つ用に製品注文書を作成する
様にプログラムの作成されたコンピュータ。
【請求項２８】
在庫日付、万国製品コード（ＵＰＣ）、製品、大きさ、最小在庫管理単位（ＳＫＵ）、在庫量、最小許可領域、及び最大許可領域の少なくとも一つを含む現在の全在庫項目のリストを利用者に提供する調査在庫画面を示す様に更にプログラムの作成された、請求項２７に従うコンピュータ。
【請求項２９】
追加注文、補充注文、注文の節約、製品注文報告の閲覧、注文の削除、注文書の送付、及び注文の公開の少なくとも一つに対するユーザ・インターフェースを利用者に提供する注文用紙画面を示す様に更にプログラムの作成された、請求項２７に従うコンピュータ。
【請求項３０】
在庫日付、万国製品コード（ＵＰＣ）、製品、大きさ、最小在庫管理単位（ＳＫＵ）、在庫量、最小許可量、及び最大許可量の少なくとも一つを含む、アーカイブに保管された在庫を閲覧するためのユーザ・インターフェースを利用者に提供する在庫経歴画面を示す様に更にプログラムの作成された、請求項２７に従うコンピュータ。
【請求項３１】
非公開発注番号、卸業者名、費用番号、費用説明、日付までに到着する船、注文発送日付、コメント、注文合計価格領域、及び注文項目のリストであって万国製品コード（ＵＰＣ）、製品、大きさ、量、単位価格、及び合計ライン価格の少なくとも一つを含む該リスト、の少なくとも一つを含む注文経歴を閲覧するためのユーザ・インターフェースを利用者に提供する注文経歴画面を示す様に更にプログラムの作成された、請求項２７に従うコンピュータ。
【請求項３２】
新製品記録の追加、費用番号及び費用説明の更新、診療所情報の更新、卸業者データの更新、注文管理の更新、及び記録の消去の少なくとも一つに対するユーザ・インターフェースを提供する画面を示す様に更にプログラムの作成された、請求項２７に従うコンピュータ。
【請求項３３】
記録を消去するために前記コンピュータが利用者に、その価格有効日が１８ヶ月よりも古い製品価格を、１８ヶ月よりも古い製品価格記録が最新の製品価格記録でない限り、除去するためのユーザ・インターフェースを提供している、請求項３２に従うコンピュータ。
【請求項３４】
在庫管理、手持ちの在庫、及び各製品に対して表示された元売業者の少なくとも一つに基づいて注文書を自動的に作成する様にプログラムの作成された、請求項２７に従うコンピュータ。
【請求項３５】
管理リストを表示し、
該管理リストから在庫管理リンクを選択し、
在庫管理画面を表示し、
セット製品管理リンクを選択し、
万国製品コードリストから製品を追加し、そして
該追加製品の加入を保存する
ことを含む、獣医在庫管理システムを用いて在庫管理を行う方法。
【請求項３６】
最小在庫管理単位（ＳＫＵ）、単位量当りの最小許可量、及び単位量当りの最小許可量の少なくとも一つを加入することを更に含む、請求項３５に従う方法。
【請求項３７】
作成した多数の注文書を表示し、
該注文書の一つを選択し、そして
該注文書を送付する
ことを含む、獣医在庫管理システムを用いて補充注文を行う方法。
【請求項３８】
注文用紙を表示することを更に含む、請求項３７に従う方法。
【請求項３９】
作成した多数の注文書を表示することが、作成注文書を公開注文書リストボックスにリスト化することを含む、請求項３７に従う方法。
【請求項４０】
注文用紙画面を表示し、
該注文用紙画面から追加注文用紙リンクを選択し、
新注文画面を表示し、
発注番号、卸業者名、費用番号、日付までに到着する船、及び該追加注文内の項目に対するコメントの少なくとも一つを加入し、
該項目を注文書に移動させ、そして
該注文書を送付する
ことを含む、獣医在庫管理システムを用いて追加注文を行う方法。
【請求項４１】
調査在庫画面を表示し、
該画面から新製品を追加することを選択し、
該在庫の中へ該新製品の追加を保存し、そして
該在庫を閲覧する
ことを含む、獣医在庫管理システムを用いて在庫を更新する方法。
【請求項４２】
最小在庫管理単位（ＳＫＵ）及び在庫量を加入することを更に含む、請求項４１に従う方法。
【請求項４３】
新製品を走査記憶装置から追加する、請求項４１に従う方法。
【請求項４４】
該走査記憶装置からアップロードした製品であって、現在のカタログの一部ではない製品を認識し、
利用者にカタログにない該製品を閲覧するように指示し、
カタログ画面への追加項目を表示し、
製品、区分、項目タイプ、製造業者、重量、元売業者、及びカタログにない該製品に対する単位価格の少なくとも一つを加入し、
該製品の少なくとも一つを該カタログに追加し、そして
新しく追加された該製品に対するバーコードラベルの印刷用の新ラベルファイルを作成する
ことを更に含む、請求項４３に従う方法。
【発明の詳細な説明】
【技術分野】
【０００１】
本特許明細書の一部は、著作権保護を受ける物を含んでいる。該著作権所有者は、本特許明細書が特許商標局の特許ファイル又は記録に現れる場合は、本特許明細書の誰かによるファクシミリ複製に異議を有さないが、その他の場合はどんなものであれあらゆる著作権を留保する。
【０００２】
本発明は、一般的に在庫管理に関し、より具体的には獣医学診療の在庫管理に関する。
【背景技術】
【０００３】
ここ数年にわたり獣医学診療は非常に特殊化されて来た。動物手入れ用品の製造業者は研究に大金を投資しており、その結果獣医学サービス提供者に利用できる製品が急増している。結果として、獣医学診療は更により複雑となり、獣医学サービス提供者はより多くの製品、例えば、食品や薬品を貯蔵する必要がある。例えば、犬が一生を通じて４種又は５種の異なった栄養上の必要物を摂ることは珍しくない。該製造業者はこれらの栄養上の必要物に対処する栄養上の調法で対応している。少なくとも最近の獣医学診療は、適当な水準の消耗品在庫を維持するという問題に対する解決を必要としている。
【発明の開示】
【課題を解決するための手段】
【０００４】
（本発明の簡単な説明）
一局面において、コンピュータ、該コンピュータに接続できるスカニング装置、該コンピュータに接続できる少なくとも一つのプリンタ、及び該コンピュータに製品不足を確認させ電子メール、ファクシミリ、クーリエ便、又は郵便サービス配達の少なくとも一つ用に製品注文書を作成させることの出来るコンピュータプログラム、を含む獣医在庫管理システムを提供する。
【０００５】
他の局面において、製品不足を確認し、非標準項目を獣医学診療在庫に追加させ、そして電子メール、ファクシミリ、クーリエ便、又は郵便サービス配達の少なくとも一つ用に製品注文書を作成する様にプログラムの作成されたコンピュータを提供する。
【０００６】
更に他の局面において、在庫管理準備用に注文書を作成する方法を提供する。該方法は、管理リストを表示し、該管理リストから在庫管理リンクを選択し、在庫管理画面を表示し、製品管理をセットし、万国製品コード（ＵＰＣ）リストから製品を追加し、そして該追加製品の加入を保存することを含む。
【０００７】
更に他の局面において、補充注文を行う方法を提供する。該方法は、作成した多数の注文書を表示し、該注文書の一つを選択し、そして該注文書を送付することを含む。
【０００８】
更なる局面において、注文用紙画面を表示し、該注文用紙画面から追加注文用紙リンクを選択し、新注文画面を表示し、発注番号、卸業者名、費用番号、日付までに到着する船、及び該追加注文内の項目に対するコメントの少なくとも一つを加入し、該項目を注文書に移動させ、そして該注文書を送付することを含む、追加注文を行う方法を提供する。
【０００９】
なお更なる局面において、調査在庫画面を表示し、該画面から新製品を追加することを選択し、該在庫の中へ該新製品の追加を保存し、そして該在庫を閲覧することを含む、在庫を更新する方法を提供する。
【００１０】
（発明の詳細な説明）
図１は、獣医在庫管理システム（ＶＩＭＳ）１０の一態様のブロック図である。システム１０は標準的なパソコン１２、スキャナー１４、及びプリンタ１６，１８を含む。特定の態様において、スキャナー１４はコンピュータ１２に接続するクレードル（示されてない）を有する手持ち式のスキャナーであり、プリンタ１６はバーコードラベルプリンタであり、プリンタ１８は標準的な頁プリンタである。コンピュータ１２は、メモリー２２に通信的に接続されている中央演算処理装置（ＣＰＵ）２０、記憶装置即ち（又は）ディスク・ドライブ２４、監視装置（モニター）２６、キーボード２８及びマウス３０を含む。ディスク・ドライブ２４にインストールされ保存されているのが、不足を即座に確認し必要製品を自動的に注文する様にシステム１０を設定し利用者を認めている獣医在庫管理システム（ＶＩＭＳ）ソフトウェア・プログラムである。なお、獣医学診療又は他の診療に特定の非標準製品項目は、将来の追跡及び並べ替えのために利用者が追加しバーコードを付すことが出来る。プリンタ１８はあらゆる報告書及び注文書を印刷する。
【００１１】
該獣医在庫管理システム（ＶＩＭＳ）ソフトウェア製品を用いることにより、システム１０は、獣医共同社会用に設計された在庫管理手段であり、個々の施設の特定要求に基づいた獣医製品用の注文書を作成するように設定されている。キーボード２８及びマウス３０を用いて手によるか又はスキャナー１４を用いてデータをシステム１０に加入し、予め定めた水準に維持された在庫水準を可能にする。
【００１２】
一態様において、該獣医在庫管理システム（ＶＩＭＳ）ソフトウェア製品は、マイクロソフト・アクセス・アプリケイションであり、在庫評価、注文書作成、製品カタログ管理、及びバーコードラベル印刷を認めている。アクセスはワシントン州レッドモンドのマイクロソフト社の登録商標である。他の態様において、スキャナー１４は、在庫及び資産追跡ソフトウェア・アプリケイションが設定された携帯情報端末（ＰＡＤ）ベースのバーコード読取装置である。典型的なアプリケイションには「手持ち式」と表題がついている。バーコードラベル印刷に対して、システム１０には、標準プリンタ１８又はバーコードプリンタ１６を用いた印刷用にラベルの書式設定をするラベル印刷ソフトウェア・パッケージを更に設定することが出来る。ラベル印刷用の典型的なソフトウェア・パッケージにはＢａｒＴｅｎｄｅｒ（登録商標）と表題がついている。ＢａｒＴｅｎｄｅｒはワシントン州ベルビューのＳｅａｇｕｌｌ  Ｓｃｉｅｎｔｉｆｉｃ社の登録商標である。
【００１３】
他の態様において、獣医在庫管理システム（ＶＩＭＳ）１０用のソフトウェアは、在庫評価、注文書作成、製品カタログ管理、及びバーコードラベル印刷を提供するＣｏｄｅｂａｓｅアプリケイションである。Ｃｏｄｅｂａｓｅはカナダアルバータ州エドモントンのＳｅｑｕｉｔｅｒ  Ｓｏｆｔｗａｒｅ社の登録商品名及び商標である。更に他の態様において、スキャナー１４は、在庫及び資産追跡ソフトウェア・アプリケイションが設定された携帯情報端末（ＰＡＤ）ベースのバーコード読取装置である。典型的なアプリケイションには「手持ち式」と表題がついている。バーコードラベル印刷に対して、システム１０には、標準プリンタ１８又はバーコードプリンタ１６を用いた印刷用にラベルの書式設定をするラベル印刷機能を更に設定することが出来る。
【００１４】
システム１０は、手持ち式のスキャナー１４にダウンロードされた項目のカタログ（示されてない）を用いて在庫が取り込まれるようにしており、スキャナー１４は該項目を知られているなら名前により、知られていないならバーコード数字により確認する。なお、項目は、「スクラッチから」取り込まれた在庫と呼ばれることがある在庫における任意の項目のバーコード（及び量）を収集することにより確認される。いずれの収集方法によっても得られた情報はコンピュータ１２に移され、そこで獣医在庫管理システム（ＶＩＭＳ）・ソフトウェア・プロダクトによりタブ区切りのテキストファイルが使用のために作成される。
【００１５】
システム１０の実施が如何に在庫管理に役立つかをより良く理解するために、その方法を以下に説明する。
【００１６】
図２はカタログ設定を説明する流れ図（フローチャート）４０である。カタログを設定又は編集するために、（図６に示された）ホーム画面から現在の在庫／製品カタログのリンクを選択する（４２）。（下の図８に示された）カタログ画面から、更に下に説明されているように利用者のカタログ、全製品カタログ、又は例外カタログのいずれか一つであるカタログ一覧を選択する（４４）。例えば、卸業者により、次に製造業者により、次に製品説明による、というような分類順序を次に選択する（４６）。カタログを編集するか又はカタログに含めるためにカタログ項目を選択する（４８）。編集されたか又は新しいカタログを次に保存する（５０）。更新されたカタログは、例えば、（図９に示された）カタログ製品報告書の形で、閲覧及び（又は）印刷に利用される（５２）。
【００１７】
例えば、一態様において、カタログに追加すべき製品は万国製品コード（ＵＰＣ）リストから選択され（４８）、利用者は最小在庫管理単位（ＳＫＵ）を、必要なら、単位量当りの最小量及び単位量当りの最大量を入力する。追加製品に対して、利用者はそれら追加製品の最小値及び最大値を選択する。完全な場合、利用者は、以下に更に説明するように、在庫管理画面又は主メニュー画面に戻る。
【００１８】
図３は補充注文を説明する流れ図６０である。補充注文するためには、（図６に示された）主メニュー画面から注文作成リンクを選択し、（図１２に示された）注文画面を表示させ（６２）、以前に行った注文を示す。注文画面から補充リンクを選択する（６４）と、行われた多数の注文を記載した伝言ボックスが現れる。補充毎に各卸業者に対して一つの注文書を作成する。該伝言ボックス内のＯＫボタンの選択により注文画面に戻ることが出来、そこで作成された注文書が公開注文表ボックスに表示される。一つの注文書の強調表示又は選択６６により該注文書の閲覧と更に該注文書の発送６８が可能となる。注文書の発送を以下に説明する。
【００１９】
図４は追加注文を説明する流れ図７０である。追加注文するためには、（図６に示された）主メニュー画面から注文作成リンクを選択し、（図１２に示された）注文用紙画面を表示させる（７２）。該注文用紙画面から、「新規」又は「編集」リンクの一つを選択し（７４）、（図１６に示された）新規注文画面を表示させる（７６）。注文すべき項目用に、次の欄、即ち発注番号、卸業者名、費用番号（所望欄）、日付（mm dd yyyy）までに到着する船、及びコメントを入力する（７８）。費用番号及びコメントは所望欄である。該新規注文画面における承認リンクの選択により、システム１０は該注文用紙画面を表示し、そこで追加注文用の項目が、得られるカタログ項目リスト内に表示され、注文すべき項目リストに移動される（８０）。保存ボタンの選択により、システム１０は後の完成及び発送のため注文を保存する。注文下見リンクの選択により、利用者は該注文を発送前に閲覧することが出来る。注文書発送リンクの選択により、システム１０は該注文書を発送する（８２）。
【００２０】
注文書を発送するため、公開注文リストから一つの注文書を選択する。注文書発送リンクを選択し、発送選択肢の選択後、電子メール又はプリンタを選択する。電子メールは電子メールにより注文書を発送する。プリンタはファックス又は郵送に用いる印刷紙を提供する。取消を選択すると注文用紙画面に戻る。電子メールを選択すると、電子メール本文ボックスが表示され、該注文書と一緒に短い伝言を送付する選択の自由が利用者に提供される。ＯＫの選択は発送機能を続行する。ＯＫを選択すると、電子メール通知伝言ボックスが現れる。
【００２１】
在庫の更新もシステム１０で可能となる。図５は在庫を更新する操作を説明した流れ図９０である。追加注文するためには、（図６に示された）主メニュー画面から注文作成リンクを選択し、（図８に示された）在庫画面を表示させる（７２）。主メニュー画面が表示され、利用者は在庫を選択する（９２）。次に利用者は主メニュー画面から新製品追加リンクを選択する。利用者は追加したい製品を選択し（９４）、製品カタログから在庫に追加する。次に利用者は新製品保存リンクを選択する（９６）。利用者は在庫が完全になるまで製品の追加を続行することが出来る。利用者は、製品の加入を完了すると、全在庫の閲覧９８への戻りを選択して在庫における全製品を閲覧する。あるいは、利用者は主メニューを選択して主メニュー画面に戻ることが出来る。（図１に示された）スキャナー１４を用いて、最小在庫管理単位（ＳＫＵ）及び在庫量を含めて、在庫を万国製品コード（ＵＰＣ）リストに直接に記入することが出来る。
【００２２】
スキャナー１４で読取られた製品は、システム１０に保存されている在庫に追加することが出来る。スキャナー１４がそこに含まれる在庫リストをコンピュータ１２にアップロードすると、獣医在庫管理システム（ＶＩＭＳ）・ソフトウェア・アプリケイションは、現在カタログの一部ではない製品を認識し、多数のカタログにない製品があるという伝言を利用者に表示し、利用者にそれらのカタログにない製品を閲覧したいか否かを尋ねる。一態様において、否定的回答を入力するとシステム１０は（図６に示された）主メニュー画面に戻る。カタログ画面への追加項目から、利用者はチェックを選択しチェックボックスを追加する。次に利用者は、製品、区分、項目タイプ、製造業者、及び重量を入力する。これらの項目のいくつかは表示されたリストから選択できる。元売業者もリストから入力され、単位価格が入力される。保存選択肢を選択すると、システム１０は主メニュー画面に戻り、入力をカタログに加えることなく保存する。カタログへの製品の追加ボタンを選択すると、カタログにない製品の伝言ボックスが作成される。否定的回答はカタログへの保存をすることなく終了させる。肯定的回答は該製品をカタログに追加する。なお、該リストのすべて又は一部をカタログに追加することが出来る。終っていない製品は更新が完了するまでそのままでいる。肯定的回答によりシステム１０は又万国製品コード（ＵＰＣ）ラベル伝言作成ボックスを表示し、そこで利用者は追加製品に対するバーコードラベルを作成することが出来る。読取られていない製品を追加するためには、上記の画面を用いて、同様の操作を使用する。上記の方法及びシステムを、下記の利用者画面を通して、更に使用する。
【００２３】
図６は獣医在庫管理システム１０に対する初期画面（Ｗｅｌｃｏｍｅ／Ｈｏｍｅ  ｓｃｒｅｅｎ）２００の一態様である。画面２００は主メニュー画面と言われることもある。一態様において、画面２００は歓迎の伝言、パソコン１２内の時計機能により調整された現在の日付及び時間設定を含む。画面２００には又、コンピュータ１２に（図８に示された）現在の製品カタログ画面を表示させる現在の在庫／製品カタログリンク、及びコンピュータ１２に（図１４に示された）注文用紙画面を表示させる注文書作成リンクを含め、多数のリンクが設定されている。在庫経歴リンクは（図１７に示された）在庫経歴画面を開き、一方注文経歴リンクは（図１２に示された）注文経歴画面を開く。管理リンクは（図２０に示された）管理画面を開く。終了リンクは該アプリケイションを終了させる。手持ち式機器データ移動リンクは読取られた製品情報を利用者にダウンロードさせるのに用いられる。
【００２４】
一態様において、画面２００には３個の援助ボタン（ヘルプボタン）２０２，２０４、及び２０６が設定されている。該態様において、ボタン２０２の選択により利用者はかけることの出来る料金無料の電話番号が提供され、それにより獣医在庫管理システム１０の設定及び操作に対して援助が得られる。ボタン２０４の選択により利用者は獣医在庫管理システム１０内に内蔵された援助機能による援助が提供される。ボタン２０６の選択により援助ウェブサイトへのインターネット接続が提供され、それにより獣医在庫管理システム１０の操作及び他のペットやペットの世話の仕方に関するデータに対する援助が提供される。
【００２５】
図７は手持ち式機器データ移動画面２１０の一態様である。画面２１０は、利用者が読取られた製品情報をスキャナー１４からコンピュータ１２内の記憶装置２４にダウンロード出来るように設定されている。一態様において、ダウンロードは、該スキャナー用クレードル（示されていない）上の同期化ホットボタンを選択し、そしてダウンロードリンク２１２を選択してスキャナー１４からコンピュータ１２への製品情報の移動を開始することを含む。リンク２１２が選択されると、テキストファイルがスキャナー１４からコンピュータ１２へ移動し、該コンピュータは該テキストファイル内のデータを分析し読取られた各製品に対する該情報に（現在カタログにない）例外項目又は存在する製品のレッテルを貼るように設定されている。例外項目が全く読取られていない場合、システム１０は、在庫設定に規定された最小量より下の製品に対して補充注文書を作成するように設定されている。閲覧リンク２１４の選択により、読取られたデータは注文書自働作成用に取り込まれ処理される。
【００２６】
図８は製品カタログ／在庫閲覧画面２２０の一態様である。画面２２０は利用者に在庫及びカタログ項目のリストを示すように設定されている。該リストは元売業者、製造業者、製品説明、製品区分、及び製品寸法を含む。該リストは又在庫日付、万国製品コード、最小在庫管理単位、在庫量、最小許可領域、及び最大許可領域を含むことが出来、それらは画面２２０を水平にスクロールすることにより閲覧することが出来る。分類順序プルダウン・メニューにより、利用者は利用者に好ましい左から右への順序で該リストから項目の一部を分類することが出来る。
【００２７】
更に、製品報告の閲覧／印刷、バーコードラベルの印刷、記録の編集、新項目のカタログへの追加、及びカタログからの項目の削除を含む他のリンクが表示されている。該製品報告の閲覧／印刷リンク２２２は、図９に示されているように、製品カタログ報告を表示させそして印刷させる。該バーコードラベルの印刷リンク２２４により、ラベル印刷機能が印刷すべきラベルのタイプで実行される。該ラベル印刷アプリケイション内で、ファイルが印刷用に開かれる。一態様において、該ファイルはマスタ・カタログ・ファイルか又は新バーコード・ファイルである。ファイルの選択により、バーコード・テンプレートが表示され、利用者はファイル印刷の選択を含むアクション・バーを提供される。
【００２８】
記録の編集リンク２２６はシステム１０に（図１０に示された）製品カタログ画面２５０を開かせ、それにより利用者は、下記に更に説明されるように、選択された製品記録を編集することが出来る。新製品の追加リンク２２８は（図１１に示された）製品カタログ画面２７０を開き、それにより利用者は新製品をカタログに追加することが出来る。削除リンク２３０により利用者は選択された製品記録を該カタログから削除することが出来る。
【００２９】
カタログ閲覧の選択に基づいて、いくつかのカタログの一つを画面２２０を通して閲覧することが出来る。示された態様において、「自分のカタログ」、「完全なカタログ」、及び「例外カタログ」に対する選択が示されている。「自分のカタログ」の選択は、利用者が以前に買ったか又は在庫に有している項目、例えば、卸業者を表示する。「完全なカタログ」の選択は、完全なカタログ、例えば、表示すべき製造業者の完全なカタログを与えるであろう。「例外カタログ」の選択は、例外製品（例えば、読取られたがカタログに含まれなかった製品）の少なくとも万国製品コード、製品／ノート、及び量を含む報告であって、印刷に利用できる報告を提供する。
【００３０】
図９は製品カタログ報告２４０の一態様である。（図８に示された）製品カタログ閲覧画面２２０における製品報告の閲覧／印刷リンクの選択により、製品報告が作成され表示される。示された態様における製品報告２４０は、製造業者、製品、サイズ、区分、単位価格、及び万国製品コードを含み、印刷に利用出来る。
【００３１】
製品カタログ報告２４０は、表示させ印刷出来る他の報告であって、下記の説明から明白なように、例外報告、現在の在庫報告、製品注文報告、製品注文経歴報告、製品元売業者抵触報告、及び在庫管理報告を含むがそれらに限定されない他の報告、と同様である。これらの他の報告は他の情報を含むことが出来、例えば、在庫報告は、やはり下記の説明から明白なように、在庫量、最小量、及び最大量を含むことが出来る。
【００３２】
図１０は製品カタログ画面２５０の一態様である。製品カタログ画面２５０は、選択されたカタログに存在する製品を編集する能力を利用者に提供する。編集することの出来る各製品に対する項目は、万国製品コード、最小在庫管理単位、製品説明、在庫タイプ、項目タイプ、重量、区分、製造業者、元売業者、単位価格、量、最小許可領域、及び最大許可領域を含むが、それらに限定されない。該項目が利用者のカタログ（「自分のカタログ」）に存在すべきか否かを、利用者は選択することが出来る。最小許可領域、及び最大許可領域は利用者に在庫管理機能を提供する。
図１１は製品カタログ画面２７０の一態様である。製品カタログ画面２７０は、選択されたカタログに製品を追加する能力を利用者に提供する。欄は（図１０に示された）製品カタログ画面２５０に関して説明した欄と実質的に同じであるが、しかし画面２７０はカタログに新製品を追加するために用いられるので、製品の削除リンクは機能しない。
【００３３】
主メニュー画面２００における注文書作成リンクの選択により、図１２に示された注文書閲覧画面２９０が表示される。特定の注文の選択で、利用者は（図１３に関して説明されるように）補充注文をすることを選択できる。又利用者は、（図１４に関して説明されるように）以前に作成した注文書を編集または削除することを選択できる。又、（図１６に関して説明されるように）画面２９０から新注文を開始することが出来る。
【００３４】
図１３は補充注文画面３００の一態様である。画面３００を用いて、利用者は卸業者及び在庫タイプを選択し、選択された卸業者から選択された在庫タイプの補充注文書を作成することが出来る。該補充注文書は、一態様において、少なくとも部分的に在庫管理及び該補充注文書内の各製品に対する手持ち在庫に基づいている。
【００３５】
図１４は注文用紙画面３１０の一態様である。注文用紙画面３１０は、特定の以前の注文書を選択してから以前の注文書を編集する能力を利用者に提供する。示された態様において、選択されたカタログにおける利用できる項目は「利用できる項目」の領域に表示され、選択された注文書に存在する項目は「この注文書において」の領域に表示されている。
【００３６】
利用者は、卸業者識別表示（ＩＤ）ドロップダウン・ボックスを選択して、送付する注文書に対する卸業者を変える（異なる卸業者から注文をする）ことが出来る。しかしながら、一態様において、卸業者名欄は情報的であり変えることが出来ない。費用番号ドロップダウン・ボックスが提供されており、それにより利用者は注文書が割り当てられた費用番号を変えることが出来る。注文書日付欄及び日付までに到着する船の欄が提供されている。
【００３７】
更に画面３１０には、コメント欄、合計価格から導かれる注文合計、及びカタログ項目の全リストとしての利用できるカタログ項目並びに注文すべき項目を示す二重リストボックスが含まれている。注文すべき項目は、該リストボックスの利用できるカタログ項目部分から注文すべきものとして選択された項目を示す。注文への追加リンク及び注文からの除去リンクを用いて項目は追加されそして除去されるので、項目を一方のリストから除去しそして他方のリストに追加する。
【００３８】
画面３１０は又、利用者が種々の機能を行うことが出来るようにするリンクを含んでいる。注文書保存リンクは、画面３１０に入力された注文書を、システム１０に保存させる。一態様において、利用者は「保存完結」の伝言を教えられる。（図１２に示された）画面２９０における補充注文リンクの選択により、「日付までに到着する船」が自動的に計算され画面３１０に入力されるが、一態様において該日付は現在の日付から３日として計算される。
【００３９】
量の編集リンクにより、注文すべき項目リスト（最初に項目を選択しなければならない）における或る項目の量を編集することが出来、利用者は所望の製品に対する量を入力するように指示される。卸業者の変更リンクにより、利用者は、注文すべき項目リストから個々の製品を選択し、存在する注文書にそれらを追加するか、又はそこから利用者が該製品を注文したいと思う卸業者に対して新規注文書を作成することが出来る。
【００４０】
注文書下見リンクにより、利用者は（図１５に示された）製品注文報告書を閲覧することが出来る。一態様において、利用者が該報告書を閉じると、「購買注文書xxxxは完全で送付する用意ができていますか」と述べた伝言を含むプロンプトが表示される。注文取消しリンクは、注文がまさに取消されようとしていることを利用者に知らせるプロンプトに対する利用者の肯定的応答に従って、システム１０に注文書を削除させる。注文書送付リンクにより、システム１０は選択された注文書を製造業者又は卸業者に送付する。
【００４１】
注文書は、画面３１０で利用できる選択に基づいて、電子メールにより送付されるか、又はハード・コピーとして印刷される。画面３１０における電子メールの選択により、確定的に、システム１０は注文書を卸業者に電子メールし該注文書を過去のものとして表示する。該注文書を送付するのに用いられる電子メール・アドレスは、下記に更に説明するように、保存された卸業者のデータからのものである。もしも該卸業者に対する電子メール・アドレスが存在しない場合には、システムはエラーの伝言を作成して表示し、該注文書は送付されない。
【００４２】
図１５は製品注文書下見３４０の一態様である。製品注文書下見３４０は、（図１４に示された）注文用紙画面３１０における下見リンクの選択により、作成され表示される。製品注文書下見３４０は、示された態様において、日付までに到着する船、注文書作成日付、注文書送付日付、発注番号、費用番号、及び会計番号を含む。卸業者欄は、連絡先、電話番号、内線電話番号、及びファクシミリ番号を含む。発送情報は、発送先情報、窓口案内、住所ライン１、住所ライン２、市、州、郵便番号、及び発送先電話番号を含む。請求書発送情報は、請求書発送先情報、請求書発送連絡先、住所１、住所２、市、州、郵便番号、及び請求書発送先電話番号を含む。製品注文書下見３４０内の注文書の詳細は、製造業者、万国製品コード、製品、大きさ、単位価格、量、合計価格、及び合計注文価格を含む。一態様において、利用者が製品注文書下見３４０を試みると、「購買注文書XXX 123は完全で送付する用意ができていますか」という、「はい」又は「いいえ」の選択付のプロンプトを含む伝言ボックスが表示される。該製品注文報告書は印刷に利用できる。
【００４３】
図１６は新規注文用紙３７０の一態様である。新規注文用紙３７０は、或る注文に対して、（図１４に示された）製品注文書画面３１０と実質的に同じ欄と情報を含むが、スキャナー１４なしで操作できる以前に保存した注文書の編集又は閲覧よりもむしろ、新規注文書を手動で作成するのに用いられる。注文用紙画面３１０は、選択されたカタログから項目を選択して新規注文書を作成する能力を、利用者に提供する。利用できるカタログ項目は利用できる項目領域に表示され、作成する注文書用に選択された項目は「この注文書において」領域に表示される。
【００４４】
図１７は、（図６に示された）主メニュー画面２００から在庫経歴リンクを選択すると表示される在庫経歴画面４００の一態様である。在庫経歴画面４００は、アーカイブに保管された在庫の日付によるドロップダウン・リスト、及び一態様において在庫日付、万国製品コード、製品、大きさ、最小在庫管理単位、在庫量、最小許可量、並びに最大許可量を含むアーカイブに保管された在庫報告書を閲覧し印刷する能力を、利用者に提供する。更に下記に説明するように、如何に表示を分類すべきかについて、利用者は選択をすることが出来る。画面４００に示されているように、製造業者、次に製品説明、次に大きさ、次に区分、次に在庫により分類されている現在の在庫が表示されている。
【００４５】
図１８は、（図６に示された）主メニュー画面２００から注文経歴リンクを選択すると表示される注文経歴画面４３０の一態様である。注文経歴画面４３０は、多数の注文書からの選択により注文経歴を閲覧する能力を利用者に提供する。図１８に示されているように、画面４３０により利用者は注文書日付、発注番号、及び卸業者のいずれによっても選択できる。他のパラメーターにより閲覧するための注文書の選択は他の態様で考慮する。
【００４６】
図１９は、（図１８に示された）注文経歴画面４３０から注文書を選択すると表示される注文用紙画面４６０の一態様である。示された態様において、注文用紙画面４６０は、（図１４に示された）注文用紙画面３１０と実質的に同じに構成されている。画面４６０の目的は経歴を表示することであるから、注文用紙画面４６０は利用者に保存の選択肢を提供していない。
【００４７】
図２０は、（図６に示された）主メニュー画面２００から管理リンクを選択すると表示される管理メニュー画面４９０の一態様である。管理メニュー画面４９０は、（図２１に示される）費用番号画面、（図２２及び２３に示される）卸業者プロフィール画面セット、（図２４−２６に示される）ビジネス選択画面セット、（図２７−２８に示される）ビジネス・プロフィール画面セット、（図２９−３３に示される）製品特性画面へのリンク、及び経歴項目を消去する能力を利用者に提供する。
【００４８】
図２１は費用番号画面５００の一態様である。費用番号画面５００は、製品を注文するための費用番号及び費用説明を追加し保存する能力を利用者に提供する。又画面５００により、利用者は以前に入力した費用番号を選択し、例えば、該費用番号と関連する説明を変えることが出来る。選択された費用番号は、消去変更リンクの選択により消去する（システムから除去する）か、又は保存変更リンクの選択によりいくらかの変更と一緒に保存することが出来る。一態様において、もしも費用番号が入力されてない場合、利用者による更なる操作を可能にする前に、「費用番号が存在しなければならない」と述べた伝言が表示される。
【００４９】
図２２は卸業者画面５３０の一態様である。卸業者画面５３０は卸業者を追加し、編集し、そして削除する能力を利用者に提供する。現在の卸業者のリストが表示されており、表示されたリストから卸業者の一つを選択することにより、利用者は該卸業者を編集するか又は削除することが出来る。編集のために卸業者を選択するか又は新規卸業者の追加リンクを選択することにより、システム１０は図２３に示された卸業者プロフィール画面５６０を表示する。示された態様において、利用者は卸業者情報、例えば、組織、省略名、連絡先（姓名）、及び住所、電話番号、電子メール・アドレス、ファクシミリ番号、及び会計番号を入力することが出来る。利用者は単一の卸業者に対して複数の会計番号を入力することが出来る。利用者は保存ボタン又は取消ボタンのいずれかを選択することが出来る。保存ボタンは、入力された卸業者情報を保存し、利用者を卸業者画面５３０に戻す。取消ボタンは、卸業者情報の入力を中止し、利用者を卸業者画面５３０に戻す。
【００５０】
図２４は、（図２０に示された）管理メニュー画面４９０からビジネス選択リンクを選択した後に表示されるビジネス選択画面５９０の一態様である。示された態様において、画面５９０により利用者は、図２５に示されたプルダウン・メニューから分類選択を、そして図２６に示されたプルダウン・メニューから在庫置換操作を選択することが出来る。在庫置換操作選択は、読取られた実際の在庫が以前にシステム１０に保存された在庫情報にどの様に上書きするかを明確にすることにより、在庫及び補充方法に対するパラメーターを特定する。分類の好みが選択されると、上記の印刷すべき画面及び報告書、例えば、（図８に示された）製品カタログ／在庫の閲覧画面２２０及び（図９に示された）製品カタログ報告書２４０の少なくともいくつかに情報がどの様に提供されるかが決定される。ラベルプリンタ・プルダウン・メニューにより、利用者は、作成物を一般的なプリンタ、例えば（図１に示された）プリンタ１８に送るか、それとも（図１に示された）バーコード・ラベルプリンタ１６に送るかを特定することが出来る。
【００５１】
図２７は、（図２０に示された）管理メニュー画面４９０からビジネス選択リンクを選択した後に表示されるビジネス・プロフィール画面６２０の一態様である。ビジネス・プロフィール画面６２０は、組織住所、請求書送付先住所、及び配送先住所の各々に対して、ビジネス名、連絡先（姓名）、住所、電話番号、内線、電子メールアドレス、及びファクシミリ番号を含むが、それらに限定されないビジネス情報を、利用者に提供する。組織住所、請求書送付先住所、及び配送先住所の各々は、これらの住所の各々に対して示された編集ボタンを選択することにより、別個に編集することが出来る。
【００５２】
図２８は最新版ビジネス・プロフィール画面６５０の一態様の説明図である。利用者は、ビジネス名、連絡先（姓名）、住所、電話番号、内線、電子メールアドレス、及びファクシミリ番号を含むが、それらに限定されないビジネス・プロフィールを編集することが出来る。組織に対するビジネス・プロフィールを編集する場合、もしも入力した組織情報が配送目的及び請求書送付目的と同じならば、情報の多くは特定の利用者に対して複写できるので、利用者は更にボックスを単純に選択することが出来る。一旦入力が完了すると、利用者は保存ボタンを選択して該変更を保存するか、又は取消ボタンを選択して該変更を消去し画面６２０に戻る。プロフィール画面６２０を通して請求書送付先及び配送先に対する編集ボタンを選択すると、最新版ビジネス・プロフィール画面６５０と同様であるが、請求書送付用及び配送用の選択ボックスの無い画面が提供される。
【００５３】
図２９は製品特性−区分タイプ画面６８０の一態様の説明図である。利用者は、体系、例えば、区分タイプを選択し、選択した該区分タイプに区分を追加することが出来る。画面６８０を参照すると、区分タイプは鳥、犬科の動物、猫科の動物、馬、等を含むことが出来る。追加ボタンを選択すると、利用者は新しい区分タイプ、例えば、豚区分タイプを追加することが出来る。区分タイプの一つを選択すると、下記の図３１に関して説明されるように、編集及び削除ボタンが利用者に提供される。
【００５４】
図３０は製品特性−在庫タイプ画面７００の一態様の説明図である。利用者は、体系、例えば、在庫タイプを選択し、該在庫タイプに在庫を追加することが出来る。画面７００を参照すると、在庫は画面７００に示されたようなアクセサリー、食物、担架、事務用品、調合薬、及び玩具在庫タイプを含むことが出来る。追加ボタンを選択すると、利用者は新しい在庫タイプ、例えば、道具在庫タイプを追加することが出来る。在庫タイプの一つを選択すると、下記の図３１に関して説明されるように、編集及び削除ボタンが利用者に提供される。
【００５５】
図３１は製品特性−項目タイプ画面７２０の一態様の説明図である。利用者は、体系、例えば、項目タイプを選択し、選択された該項目タイプに項目を追加することが出来る。画面７２０を参照すると、項目タイプは画面７２０に示されたような麻酔、ビスケット、缶、従来式、乾燥型、注射可能、及び門番用を含むことが出来る。他の項目タイプ、例えば、一般用医薬品、その他、紙、処方薬、すくいさじ、軟湿型、外科用注射器、及び治療が含まれる。追加ボタンを選択すると、利用者は新しい項目タイプ、例えば、首輪タイプを追加することが出来る。項目タイプの一つ、例えば、該図に示された「缶」を選択すると、編集及び削除の選択が利用者に提供される。削除の選択により、利用者は、一態様においてポップアップ・ウィンドウに対する肯定的回答の後に、項目タイプを削除することが出来る。編集の選択により、利用者は、下記の図３３に関して説明される画面と同様の画面を通して、項目タイプを例えば“ｃａｎ”から“ｃａｎｓ”に編集することが出来る。
【００５６】
図３２は製品特性−測定単位画面７４０の一態様の説明図である。利用者は、体系、例えば、測定単位を選択し、該測定単位タイプに異なる測定単位を追加することが出来る。画面７４０を参照すると、測定単位は２８錠（ｔａｂ）、４パック、６パック、アンプル、袋、瓶、等を含むことが出来る。例えば、他の測定単位は、箱、１００箱、缶、ドース、グラム、ガロン、リットル、パイント、ポンド、キログラム、オンス、クォート、等を含むが、それらに限定されない。追加ボタンを選択すると、利用者は測定単位タイプ、例えば、グロス区分タイプを追加することが出来る。測定単位の一つを選択すると、該図に示されているように、又上記の図３１に関して説明されているように、編集及び削除ボタンが利用者に提供される。
【００５７】
図３３は、体系テーブル中のタイプと関連する新規タイプを利用者が入力できる画面７６０を説明する。例えば、図２９に関して説明されているように、犬科の動物区分タイプが区分タイプ体系テーブルに追加されつつある。もしも利用者が、例えば、図３１及び３２に関して説明されている項目タイプ又は測定単位を編集する場合は、画面７６０も又表示される。
【００５８】
（図１に示された）システム１０の説明、（図２〜５に示された）方法、及び（図６〜３３に示された）画面及び報告書の説明から明白なように、該画面及び報告書を作成するためのコンピュータ・プログラムが設定されたシステム１０は、食料雑貨店内の獣医関連用品、ペット特殊用品、ペット関連用品、及び他の関連診療の在庫管理に対する貴重な道具である。更に、例えばビデオ・ストリーミングにより訓練を提供する他の態様も意図されている。
【００５９】
本発明は種々の特定の態様により説明されてきたが、当業者は、本クレームの精神と範囲内で変形して本発明を実施出来ることを認識するであろう。
【図面の簡単な説明】
【００６０】
【図１】在庫管理システムの一態様のブロック図である。
【図２】カタログ設定を説明する流れ図である。
【図３】補充注文を説明する流れ図である。
【図４】追加注文を説明する流れ図である。
【図５】在庫への新製品の追加を説明する流れ図である。
【図６】獣医在庫管理システム（ＶＩＭＳ）に対する主メニュー画面の一態様である。
【図７】手持ち式機器データ移動画面の一態様である。
【図８】製品カタログ／在庫閲覧画面の一態様である。
【図９】製品カタログ報告の一態様である。
【図１０】製品カタログ編集画面の一態様である。
【図１１】製品カタログ項目追加画面の一態様である。
【図１２】注文書閲覧画面の一態様である。
【図１３】補充注文画面の一態様である。
【図１４】注文用紙画面の一態様である。
【図１５】製品注文書印刷下見画面の一態様である。
【図１６】新規注文書画面の一態様である。
【図１７】在庫経歴画面の一態様である。
【図１８】注文書閲覧画面の一態様である。
【図１９】注文用紙画面の一態様である。
【図２０】管理メニュー画面の一態様である。
【図２１】費用番号画面の一態様である。
【図２２】卸業者のリスト画面の一態様である。
【図２３】卸業者プロフィール画面の一態様である。
【図２４】利用者選択画面の一態様である。
【図２５】分類選択を示した選択画面の一態様である。
【図２６】在庫置換選択及び項目分類選択を示した選択画面の一態様である。
【図２７】ビジネス・プロフィール画面の一態様である。
【図２８】ビジネス・プロフィール編集画面の一態様である。
【図２９】製品特性−区分タイプ画面の一態様である。
【図３０】製品特性−在庫タイプ画面の一態様である。
【図３１】製品特性−項目タイプ画面の一態様である。
【図３２】製品特性−測定単位画面の一態様である。
【図３３】体系入力画面の一態様である。
【図１】
2005517605.tif 000003
【図２】
2005517605.tif 000004
【図３】
2005517605.tif 000005
【図４】
2005517605.tif 000006
【図５】
2005517605.tif 000007
【図６】
2005517605.tif 000008
【図７】
2005517605.tif 000009
【図８】
2005517605.tif 000010
【図９】
2005517605.tif 000011
【図１０】
2005517605.tif 000012
【図１１】
2005517605.tif 000013
【図１２】
2005517605.tif 000014
【図１３】
2005517605.tif 000015
【図１４】
2005517605.tif 000016
【図１５】
2005517605.tif 000017
【図１６】
2005517605.tif 000018
【図１７】
2005517605.tif 000019
【図１８】
2005517605.tif 000020
【図１９】
2005517605.tif 000021
【図２０】
2005517605.tif 000022
【図２１】
2005517605.tif 000023
【図２２】
2005517605.tif 000024
【図２３】
2005517605.tif 000025
【図２４】
2005517605.tif 000026
【図２５】
2005517605.tif 000027
【図２６】
2005517605.tif 000028
【図２７】
2005517605.tif 000029
【図２８】
2005517605.tif 000030
【図２９】
2005517605.tif 000031
【図３０】
2005517605.tif 000032
【図３１】
2005517605.tif 000033
【図３２】
2005517605.tif 000034
【図３３】
2005517605.tif 000035
【手続補正書】
【提出日】平成16年4月23日(2004.4.23)
【手続補正１】
【補正対象書類名】特許請求の範囲
【補正対象項目名】全文
【補正方法】変更
【補正の内容】
【特許請求の範囲】
【請求項１】
コンピュータ、
前記コンピュータに接続できるスカニング装置、
前記コンピュータに接続できる少なくとも一つのプリンタ、及び
個々の獣医学診療に対して特定的である前記コンピュータに保存された製品カタログに基づいた製品注文書であって、該製品注文書の少なくともいくつかは前記コンピュータに保存された以前に行った注文に基づいた製品注文書を作成させることができ、しかも、前記コンピュータに製品不足を確認させることができるコンピュータプログラム、
を含む獣医在庫管理システム。
【請求項２】
前記コンピュータプログラムが、非標準項目を在庫ファイルに加えることを可能にする様に、前記コンピュータを設定している、請求項１に従うシステム。
【請求項３】
該非標準項目が利用者の特定獣医学診療に対して特定的である、請求項２に従うシステム。
【請求項４】
前記スカニング装置が手持ち式のバーコード読取装置である、請求項１に従うシステム。
【請求項５】
前記読取装置が予め定めた製品高を設定できる、請求項４に従うシステム。
【請求項６】
前記少なくとも一つのプリンタがバーコードプリンタ及び標準頁プリンタを含む、請求項１に従うシステム。
【請求項７】
バーコードプリンタに対して、前記システムがラベル印刷ソフトウェアの適用を設定されている、請求項６に従うシステム。
【請求項８】
標準頁プリンタに対して、前記システムが書面印刷ソフトウェアの適用を設定されている、請求項６に従うシステム。
【請求項９】
前記コンピュータが電子メール、ファクシミル、クーリエ便、又は郵便サービス配達用の注文書を作成する様に設定されている、請求項１に従うシステム。
【請求項１０】
前記コンピュータプログラムが、調査在庫画面、注文用紙画面、在庫経歴画面、注文経歴画面、及び管理画面の少なくとも一つを表示する様に、前記コンピュータを設定している、請求項１に従うシステム。
【請求項１１】
前記調査在庫画面が利用者に現在の全在庫項目のリストを提供しており、該リストは在庫日付、万国製品コード（ＵＰＣ）、製品、大きさ、最小在庫管理単位（ＳＫＵ）、在庫量、最小許可（許容）領域、及び最大許可（許容）領域の少なくとも一つを含む、請求項１０に従うシステム。
【請求項１２】
前記調査在庫画面が利用者に、最小在庫管理単位（ＳＫＵ）の変更、在庫量の変更、前に調べた製品量の変更、在庫項目及び量の更新、及び製品の最小並びに最大量の編集の少なくとも一つに対するユーザ・インターフェースを提供している、請求項１０に従うシステム。
【請求項１３】
前記注文用紙画面が利用者に、追加注文、補充注文、注文の節約、製品注文報告の閲覧、注文の削除、注文書の送付、及び注文の公開の少なくとも一つに対するユーザ・インターフェースを提供している、請求項１０に従うシステム。
【請求項１４】
前記の補充注文に対するユーザ・インターフェースにより、利用者が前記システムに、在庫管理、手持ちの在庫、及び各製品に対して表示された元売業者の少なくとも一つに基づいて注文書を自動的に作成させることの出来る、請求項１３に従うシステム。
【請求項１５】
前記の補充注文に対するユーザ・インターフェースにより、利用者が前記システムに、船を該注文の日までに到着する様に自動的に適合させることの出来る、請求項１３に従うシステム。
【請求項１６】
前記在庫経歴画面が利用者にアーカイブに保管された在庫を閲覧するためのユーザ・インターフェースを提供しており、該保管在庫は在庫日付、万国製品コード（ＵＰＣ）、製品、大きさ、最小在庫管理単位（ＳＫＵ）、在庫量、最小許可量、及び最大許可量の少なくとも一つを含む、請求項１０に従うシステム。
【請求項１７】
前記注文経歴画面が利用者に、非公開発注番号、卸業者名、費用番号、費用説明、日付までに到着する船、注文発送日付、コメント、及び注文合計価格領域の少なくとも一つを含む注文経歴を閲覧するためのユーザ・インターフェースを提供している、請求項１０に従うシステム。
【請求項１８】
前記注文経歴画面が利用者に注文項目のリストを閲覧するためのユーザ・インターフェースを提供しており、該リストは万国製品コード（ＵＰＣ）、製品、大きさ、量、単位価格、及び合計ライン価格の少なくとも一つを含む、請求項１０に従うシステム。
【請求項１９】
前記管理画面が利用者に、製品カタログ画面、費用番号画面、診療所情報画面、卸業者データ画面、在庫管理画面、及び消去経歴項目画面の少なくとも一つを選択するためのユーザ・インターフェースを提供している、請求項１０に従うシステム。
【請求項２０】
前記製品カタログ画面が利用者に、万国製品コード（ＵＰＣ）、製品、製造業者、項目タイプ、重量、区分、元売業者、単位価格、価格の有効日、及び不活性状態日の少なくとも一つを含む新製品記録を追加し、製品記録に変化を保存し、製品記録を削除し、そして新製品記録を保存するためのユーザ・インターフェースを提供している、請求項１９に従うシステム。
【請求項２１】
前記費用番号画面が利用者に、製品の注文に対する費用番号及び費用説明の追加、変更、保存及び削除の少なくとも一つに対するユーザ・インターフェースを提供している、請求項１９に従うシステム。
【請求項２２】
前記診療所情報画面が利用者に診療所名、診療所住所、発送先、及び請求書送付先の少なくとも一つを追加し変更するためのユーザ・インターフェースを提供しており、前記診療所住所、前記発送先、及び前記請求書送付先は連絡先姓、連絡先名、住所、市、州、郵便番号、電話番号、内線電話番号、電子メールアドレス、及びファクシミリ番号の少なくとも一つを含む、請求項１９に従うシステム。
【請求項２３】
前記卸業者データ画面が利用者に、卸業者識別表示（ＩＤ）、卸業者名、連絡先姓、連絡先名、住所、市、州、郵便番号、電話番号、内線電話番号、電子メールアドレス、ファクシミリ番号、及び診療所会計番号の少なくとも一つを含む卸業者記録を閲覧し、追加し、削除し、そして更新するためのユーザ・インターフェースを提供している、請求項１９に従うシステム。
【請求項２４】
前記在庫管理画面が利用者に、万国製品コード（ＵＰＣ）、最小在庫管理単位（ＳＫＵ）、最小許可量、及び最大許可量の少なくとも一つを含む注文管理を閲覧し編集するためのユーザ・インターフェースを提供している、請求項１９に従うシステム。
【請求項２５】
前記消去経歴項目画面が利用者に、注文経歴記録、在庫経歴記録、中止製品、及びその価格記録を、これらの記録が１８ヶ月以上古い場合に、除去するためのユーザ・インターフェースを提供している、請求項１９に従うシステム。
【請求項２６】
前記消去経歴項目画面が利用者に、その価格有効日が１８ヶ月よりも古い製品価格を、１８ヶ月よりも古い製品価格記録が最新の製品価格記録でない限り、除去するためのユーザ・インターフェースを提供している、請求項１９に従うシステム。
【請求項２７】
製品不足を確認し、
非標準項目を確認させ獣医学診療在庫に追加させ、そして
電子メール、ファクシミル、クーリエ便、又は郵便サービス配達の少なくとも一つ用の製品注文書であって、該製品注文書の少なくともいくつかはコンピュータに保存された以前に行った注文に基づいた製品注文書を作成する
様にプログラムの作成されたコンピュータ。
【請求項２８】
在庫日付、万国製品コード（ＵＰＣ）、製品、大きさ、最小在庫管理単位（ＳＫＵ）、在庫量、最小許可領域、及び最大許可領域の少なくとも一つを含む現在の全在庫項目のリストを利用者に提供する調査在庫画面を示す様に更にプログラムの作成された、請求項２７に従うコンピュータ。
【請求項２９】
追加注文、補充注文、注文の節約、製品注文報告の閲覧、注文の削除、注文書の送付、及び注文の公開の少なくとも一つに対するユーザ・インターフェースを利用者に提供する注文用紙画面を示す様に更にプログラムの作成された、請求項２７に従うコンピュータ。
【請求項３０】
在庫日付、万国製品コード（ＵＰＣ）、製品、大きさ、最小在庫管理単位（ＳＫＵ）、在庫量、最小許可量、及び最大許可量の少なくとも一つを含む、アーカイブに保管された在庫を閲覧するためのユーザ・インターフェースを利用者に提供する在庫経歴画面を示す様に更にプログラムの作成された、請求項２７に従うコンピュータ。
【請求項３１】
非公開発注番号、卸業者名、費用番号、費用説明、日付までに到着する船、注文発送日付、コメント、注文合計価格領域、及び注文項目のリストであって万国製品コード（ＵＰＣ）、製品、大きさ、量、単位価格、及び合計ライン価格の少なくとも一つを含む該リスト、の少なくとも一つを含む注文経歴を閲覧するためのユーザ・インターフェースを利用者に提供する注文経歴画面を示す様に更にプログラムの作成された、請求項２７に従うコンピュータ。
【請求項３２】
新製品記録の追加、費用番号及び費用説明の更新、診療所情報の更新、卸業者データの更新、注文管理の更新、及び記録の消去の少なくとも一つに対するユーザ・インターフェースを提供する画面を示す様に更にプログラムの作成された、請求項２７に従うコンピュータ。
【請求項３３】
記録を消去するために前記コンピュータが利用者に、その価格有効日が１８ヶ月よりも古い製品価格を、１８ヶ月よりも古い製品価格記録が最新の製品価格記録でない限り、除去するためのユーザ・インターフェースを提供している、請求項３２に従うコンピュータ。
【請求項３４】
在庫管理、手持ちの在庫、及び各製品に対して表示された元売業者の少なくとも一つに基づいて注文書を自動的に作成する様にプログラムの作成された、請求項２７に従うコンピュータ。
【請求項３５】
以前に作成し送付した多数の注文書を表示し、
該注文書の一つを選択し、
選択した該注文書を所望により編集し、そして
選択し編集した該注文書を新しい注文書として送付する
ことを含む、獣医在庫管理システムを用いて補充注文を行う方法。
【請求項３６】
注文用紙を表示することを更に含む、請求項３５に従う方法。
【請求項３７】
作成した多数の注文書を表示することが、作成注文書を公開注文書リストボックスにリスト化することを含む、請求項３５に従う方法。
【請求項３８】
注文用紙画面を表示し、
該注文用紙画面から追加注文用紙リンクを選択し、
新注文画面を表示し、
発注番号、卸業者名、費用番号、日付までに到着する船、及び該追加注文内の項目に対するコメントの少なくとも一つを加入し、
該項目を注文書に移動させ、そして
該注文書を送付する
ことを含む、獣医在庫管理システムを用いて追加注文を行う方法。
【請求項３９】
調査在庫画面を表示し、
該在庫内の、現カタログの一部ではない製品を認識し、
該画面からカタログにない該製品を、該在庫への新製品の追加として、追加することを選択し、そして
新しく追加された該製品に対するバーコードラベルの印刷用の新ラベルファイルを作成する
ことを含む、獣医在庫管理システムを用いて在庫を更新する方法。
【請求項４０】
最小在庫管理単位（ＳＫＵ）及び在庫量を加入することを更に含む、請求項３９に従う方法。
【請求項４１】
新製品を走査記憶装置から追加する、請求項３９に従う方法。
【請求項４２】
該走査記憶装置からアップロードした製品であって、現在のカタログの一部ではない製品を認識し、
利用者にカタログにない該製品を閲覧するように指示し、
カタログ画面への追加項目を表示し、
製品、区分、項目タイプ、製造業者、重量、元売業者、及びカタログにない該製品に対する単位価格の少なくとも一つを加入し、そして
該製品の少なくとも一つを該カタログに追加する
ことを更に含む、請求項４１に従う方法。
【国際調査報告】
2005517605.tif 000036